(57)【要約】【課題】極めて簡単に所定の高さに棚板を架設することができ、しかも棚板に重量物を長期間載せてもブラケットがずれ落ちることもないラック装置を提供する。【解決手段】装置基枠１にその上端部と下端部を固定して垂設された芯材３，…に上下方向に貫通穴５を有するストッパー部材６の複数個を連続して可動自在に挿通して構成された４本の支柱７を設け、後端部に棚板の受け部10を有するブラケット９の前端部にはその先端部に芯材３の係止溝13を有する挿入部12を支柱７の垂設方向に沿って設け、挿入部12は支柱７の適当高さのストッパー部材６，６間に挿入してストッパー部材６，６間に挟持させて棚板８を支柱７の適当な高さに架設させるようにした洋服等のハンガーラック装置。【選択図】  図１
0003105549.tif 000002
【実用新案登録請求の範囲】
【請求項１】
垂設された芯材に上下方向に貫通穴を有するストッパー部材の複数個を連続して可動自在に挿通して構成された支柱を１又は２以上設けるとともに、後端部に棚板の受け部を有するブラケットの前端部には上記支柱に対応してその先端部に芯材の係止溝を有する挿入部を設け、該挿入部は上記支柱の適当高さのストッパー部材間に挿入して上下のストッパー部材間に挟持させるようにしたことを特徴とラック装置。
【請求項２】
対向する２基のブラケット前端部間に挿入部を形成する請求項１記載のラック装置。
【請求項３】
芯材がワイヤー、ロープ又はスチールロットである請求項１記載のラック装置。
【請求項４】
芯材の上端部及び／或いは下端部を固定して芯材を垂設した請求項１記載のラック装置。
【請求項５】
芯材に連続挿通されるストッパー部材に所定間隔で他のストッパー部材とは識別し得るストッパー部材を使用した請求項１記載のラック装置。
【請求項６】
挿入部の上部乃至下部にストッパー部材の係合部を設けた請求項１記載のラック装置。
【考案の詳細な説明】
【技術分野】
【０００１】
この考案は、簡単に支柱に対して適当な高さに棚板を架設することができるラック装置に関するものである。
【背景技術】
【０００２】
従来、ラック装置としては、支柱の適当な高さにブラケットを取付金具で固定し、該ブラケットに棚板を支持させるようにしたものが知られている。
【０００３】
また、垂直に立てたポールに嵌め込んだ自在ロック機構に取り付けた連続スリーブにラックのフックをを差し込み、自在ロック機構により自在に上下移動、軸回転移動ができ、望みの高さ、位置にラックを配置できるようにしたラック装置が知られている（実用新案登録第3044943号）。
【特許文献１】実用新案登録第3044943号
【考案の開示】
【考案が解決しようとする課題】
【０００４】
しかし、前者のラック装置については、棚板を支持するブラケットを取付金具を使用して支柱の適当な高さに固定するのに手間が掛かり、また棚板に重いものを載せると、長い間には取付金具による固定が弛み、ブラケットがずれ落ちてしまう等の不都合を生ずる。
【０００５】
また、後者のラック装置については、複雑な自在ロック機構を内部に組み込むなどのため、簡単に支柱に対して適当な高さに棚板を架設できない等の欠点がある。
【課題を解決するための手段】
【０００６】
この考案は、上記実情に鑑み、垂設された芯材に上下方向に貫通穴を有するストッパー部材の複数個を連続して可動自在に挿通して構成された支柱を１又は２以上設けるとともに、後端部に棚板の受け部を有するブラケットの前端部には上記支柱に対応してその先端部に芯材の係止溝を有する挿入部を設け、該挿入部は上記支柱の適当高さのストッパー部材間に挿入して上下のストッパー部材間に挟持させるようにしたラック装置を提案するものである。
【考案の効果】
【０００７】
即ち、この考案によれば上記挿入部を支柱の適当な高さのストッパー部材間にその係止穴を芯材に係合させるようにして挿入して上下のストッパー部材間に挟持させるため、極めて簡単に支柱に対して所定の高さに棚板を支持することができる。
【０００８】
なお、この考案において適用する棚板としてはボード状のものでもよく、或いはハンガーラックとして使用するポール状のものでもよい。
【０００９】
また、ブラケットの前端部に支柱に対応して設けられる挿入部は支柱の長手方向に沿って上下方向に２以上設けるようにしてもよく、並設される支柱の並設方向に沿って左右方向に２以上設けるようにしてもよい。
【００１０】
一方、この考案において芯材を垂設するに際しては、その上端部及び下端部をラック装置の基枠に固定してもよく、また基枠を外して天井及び床に直接固定してもよく、更にはその上端部のみをラック装置の基枠乃至天井に固定してもよく、またその下端部のみをラック装置の基枠乃至床に固定してもよい。
【００１１】
更に、この考案において芯材としてはワイヤー、ロープ等の可撓性材質のもの又はスチールロット等の剛性材質のものを使用することができる。
【００１２】
また、以上のような支柱は１本でもよいが、棚板を安定して架設するために２本以上できれば対向状に４本設けることが好ましい。
【００１３】
一方、この考案においては支柱の適当な高さに棚板を架設する目安として、芯材に連続挿通されるストッパー部材に所定間隔で他のストッパー部材とは識別し得るストッパー部材してもよい。
【００１４】
例えば他のストッパー部材に対して色彩の異なるストッパー部材或いは長さ等形態が異なるストッパー部材をを所定間隔で使用することにより、支柱の適当な高さに棚板を架設する目安とすることができる。
【００１５】
また、挿入部を上下のストッパー部材間に挟持させて支柱の適当な高さに支持させた棚板の盲動を防ぐために、挿入部の上部乃至下部にストッパー部材の係合部を設けるようにしてもよい。
【考案を実施するための最良の形態】
【００１６】
装置基枠にその上端部と下端部を固定して垂設された芯材に上下方向に貫通穴を有するストッパー部材の複数個を連続して可動自在に挿通して４本の支柱を設け、後端部に棚板の受け部を有するブラケットの前端部にはその先端部に上記芯材の係止穴を有する挿入部を設け、該挿入部は上記支柱の適当高さのストッパー部材間に挿入して上下のストッパー部材間に挟持させて棚板を上記支柱の適当な高さに架設させるようにした洋服等のハンガーラック装置。
【実施例１】
【００１７】
以下、この発明を図示の実施例に基づいて詳細に説明すると、１はこの考案の一実施例を示すハンガーラック装置の基枠で、基枠１はその前面を開放し、その長手方向に沿って複数のハンガーラック区画２，…が列設される。
【００１８】
３，…は長尺なワイヤーで構成される芯材で、芯材３は基枠１の上端部と下端部に設けられた支持部４，…に支持されてハンガーラック区画２の四隅に対向状に垂設される。
【００１９】
更に、ハンガーラック区画２の四隅に垂設される芯材３には上下方向に貫通穴５を有する複数のストッパー部材６を連続して可動自在に挿通して支柱７を形成する。
【００２０】
なお、この実施例ではストッパー部材６は縦長のもの6aと球形のもの6bと２種類を使用し、球形のストッパー部材6bは支柱７の高さの目安のために縦長のストッパー部材6aに対して所定間隔で芯材３に挿通される。
【００２１】
一方、８は棚板、９は棚板受けブラケットで、ブラケット９の後端部には受け部10が設けられ、受け部10には棚板８が載置され、ビス部材11で受け部10上に固定される。
【００２２】
また、ブラケット９の前端部には左右方向に挿入部12,12が設けられ、更に挿入部12の先端部には挿入方向に開放した芯材３の係止溝13を形成する。
【００２３】
以上の構成において、ハンガーラック区画２に棚板８を棚設するに際しては、支柱７，…の適当高さの上下のストッパー部材６，６間に挿入部12を挿入し、芯材３を係止穴13に係止させて挿入部12を上下のストッパー部材６，６間に挟持させて棚板８を架設し、棚板８には洋服等がハンガーされる。
【００２４】
したがって、この考案では極めて簡単にハンガーラック区画２の支柱７，…に対して所定の高さに棚板８，…を棚設することができ、しかも棚板８，…に重量物を載せてもブラケットがずれ落ちることもない。
【００２５】
図７は、ブラケット９の前端部に支柱７の垂設方向に沿って上下に挿入部12,12を設けた実施例を示すものであり、この場合挿入部12,12上部及び下部には上方及び下方を開放したストッパー部材６の係合部14,14が形成される。
【００２６】
この実施例においては支柱７の適当高さの上下のストッパー部材６，６間を広げて挿入部12,12を挿入した後、係合部14,14にはそれぞれその上方及び下方それぞれストッパー部材６を係合させ、これにより支柱の適当な高さに支持された棚板８の左右方向への盲動を防止することができる。
【００２７】
なお、この実施例では１基の棚板受けブラケット９の先端部に１又は２以上の挿入部12と係合部14を設ける例について説明したが、図８に示すように対向する２基の棚板受けブラケット９，９間に挿入部13と係合部14を形成してもよい。
【００２８】
この実施例ではブラケット９，９の後端部に設けられた受け部10,10にはそれぞれ棚板８、８が載置され、ビス部材11で受け部10上に固定され、一方ブラケット９，９の先端部間にはその一端を開放した芯材３の係止穴12を有する挿入部13が形成され、更に挿入片部13とブラケット９，９の先端部間にはストッパー部材６の係合部14が形成される。
【００２９】
なお、この実施例では洋服等のハンガーラック装置について説明したが、この考案はハンガーラックに限らず、各種のラック装置に適用することができ、棚板の材質もガラス、木、スチール等その用途に応じて使い分けることができる。
【産業上の利用可能性】
【００３０】
以上要するに、この考案によれば極めて簡単に所定の高さに棚板を架設することができ、しかも棚板に重量物を載せてもブラケットがずれ落ちることもない。
【図面の簡単な説明】
【００３１】
【図１】この考案の一実施例を示すハンガーラック装置の正面図
【図２】同上の側面図
【図３】同上の平面図
【図４】同上の斜視図
【図５】同上の要部を拡大した縦断側面図
【図６】同上のブラケット部分を拡大した斜視図
【図７】この考案の他の実施例を示す縦断側面図
【図８】同上のブラケット部分を示す斜視図
【図９】この考案の更に他の実施例を示す平面図
【図１０】同上のＡ−Ａ線断面図
【符号の説明】
【００３２】
１はハンガーラック装置の基枠
２，…はハンガーラック区画
３，…は芯材
４，…は支持部
５は貫通穴
６，…はストッパー部材
6aは縦長ストッパー部材
6bは球形ストッパー部材
７，…は支柱
８，…は棚板
９はブラケット
10は受け部
11はビス部材
12は挿入部
13は係止溝
14は係合部
【図１】
0003105549.tif 000003
【図２】
0003105549.tif 000004
【図３】
0003105549.tif 000005
【図４】
0003105549.tif 000006
【図５】
0003105549.tif 000007
【図６】
0003105549.tif 000008
【図７】
0003105549.tif 000009
【図８】
0003105549.tif 000010
【図９】
0003105549.tif 000011
【図１０】
0003105549.tif 000012